(57)【要約】【課題】ピンをスルーホールにスムーズに挿入することができる基板を提案する。【解決手段】本明細書が開示する基板は、電子部品から延びるピンを挿入するスルーホールを備えており、ピンの挿入側の面にピンの挿入時にピンをスルーホールに向けて案内するガイド部が固定されている。このガイド部には、電子部品の側から順に、案内用貫通孔と矯正用貫通孔と離間部が設けられている。案内用貫通孔は、電子部品から離れるにつれて径が縮小している。矯正用貫通孔は、案内用貫通孔に連通し、電子部品側から離れるにつれて径が拡大してから縮小している。離間部は、スルーホールと矯正用貫通孔の間に間隔を置き、その間隔を基板外から観察可能とする。このような基板によれば、矯正用貫通孔を用いてピンの先端をスルーホール側に矯正するができ、ピンをスルーホールにスムーズに挿入することができる。【選択図】図２
2020155731.tif 000002
【特許請求の範囲】
【請求項１】
電子部品から延びるピンを挿入するスルーホールを備えており、前記ピンの挿入側の面に前記ピンの挿入時に前記ピンを前記スルーホールに向けて案内するガイド部が固定されている基板であり、
前記ガイド部には、前記電子部品の側から順に、案内用貫通孔と矯正用貫通孔と離間部が設けられており、
前記案内用貫通孔は、前記電子部品から離れるにつれて径が縮小しており、
前記矯正用貫通孔は、前記案内用貫通孔に連通し、前記電子部品側から離れるにつれて径が拡大してから縮小しており、
前記離間部は、前記スルーホールと前記矯正用貫通孔の間に間隔を置き、その間隔を基板外から観察可能とすることを特徴とする、基板。
【発明の詳細な説明】
【技術分野】
【０００１】
本明細書が開示する技術は、電子部品から延びるピンを挿入するスルーホールを備えており、ピンの挿入側の面にピンの挿入時にピンをスルーホールに向けて案内するガイド部が固定されている基板に関する。
【背景技術】
【０００２】
基板に電子部品を実装する方法の一例として、基板に設けられたスルーホールに電子部品から延びるピンを挿入した後、はんだによりスルーホールとピンを接続する方法がある。
【０００３】
上述した方法で基板と電子部品を接続する場合、まず基板のスルーホールに電子部品のピンを挿入する必要がある。ここで、基板や電子部品が有する公差や、製造工程内での変形等の影響で、スルーホールとピンの位置が相対的にずれることがある。このようなずれを許容するほどスルーホールの径を大きくすると、接続後にはんだの強度不足等の問題が生じるおそれがある。そのため、スルーホールの径は必要以上に大きくできない。その結果、スルーホールとピンの位置が相対的にずれた場合、ピンがスルーホールに挿入されない不具合が生じる。
【０００４】
特許文献１には、スルーホールとピンの位置が相対的にずれた場合に、ピンをスルーホールへスムーズに挿入する技術が開示されている。特許文献１では、ピンをスルーホールへ向けて案内するガイド部（特許文献１では、接触ピンガイド板と称している）を基板に固定している。ガイド部は、案内用貫通孔（特許文献１では、ガイド孔と称している）を備えている。案内用貫通孔は、ピンの入り口では径が大きく、ピンが深く挿入されるにつれて径が縮小している。特許文献１では、案内用貫通孔の漏斗状の斜面によってピンをスルーホールに誘い込むことで、ピンのスルーホールへのスムーズな挿入を実現している。
【先行技術文献】
【特許文献】
【０００５】
【特許文献１】特開２０１０−１４６８７３号公報
【発明の概要】
【発明が解決しようとする課題】
【０００６】
特許文献１では、スルーホールと案内用貫通孔の間に間隔が設けられている。この間隔を設けることで、接続後にはんだの接合状況を検査することができる。また、この間隔を設けることで、はんだがガイド部と接触することを防止することができる。しかしながら、この間隔を設けることで、ピンの先端がスルーホールに挿入される時には、ピンの先端がすでに案内用貫通孔を通過してしまっており、ガイド部はピンの先端を直接的に位置決めすることができない。
【０００７】
図３（Ａ）に、従来のガイド部２０を示す。図３（Ａ）に示すように、スルーホール８の孔中心軸８ｃと案内用貫通孔２０ａの中心軸が同軸となるように従来のガイド部２０は制御基板４に固定されている。図３（Ａ）では、ピン２６のピン中心軸２６ｃは、孔中心軸８ｃに対して寸法Ａずれた位置に配置されている。すなわち、図３（Ａ）は、スルーホール８とピン２６の位置が相対的にずれた場合を示している。このような場合であっても、ピン２６の先端２６ａは案内用貫通孔２０ａの斜面に当接し、案内用貫通孔２０ａの斜面に沿ってスルーホール８側へ誘い込まれる。その時、図４（Ａ）に示すように、ピン２６は孔中心軸８ｃの方向へ湾曲した状態で従来貫通孔２０ｂに挿入される。従来貫通孔２０ｂの直径ΦＢは、スルーホール８の直径より小さい。そのため、従来貫通孔２０ｂを通過したピン２６の先端２６ａは、スルーホール８に挿入されるとも考えられる。しかし、従来のガイド部２０は、従来貫通孔２０ｂとスルーホール８の間に間隔を置く離間部２０ｃを備えている。そのため、従来貫通孔２０ｂを通過したピン２６の先端２６ａは、従来のガイド部２０によって直接的に位置決めされない。また、ピン２６は、案内用貫通孔２０ａのＸ軸正側の斜面に沿って従来貫通孔２０ｂに挿入される。そのため、図５（Ａ）に示すように、ピン２６の先端２６ａは、上側ほどスルーホール８の孔中心軸８ｃから離れるように傾斜している。傾斜しているピン２６がさらに上側へ挿入されると、従来のガイド部２０では、図６（Ａ）に示すように、ピン２６の先端２６ａは、スルーホール８の縁に引っかかるおそれがある。本明細書は、スルーホールに対するピンの位置ばらつきや、ピンの変形が大きい場合であっても、ピンをスルーホールにスムーズに挿入することができる基板を提供する。
【課題を解決するための手段】
【０００８】
本明細書が開示する基板は、電子部品から延びるピンを挿入するスルーホールを備えており、ピンの挿入側の面にピンの挿入時にピンをスルーホールに向けて案内するガイド部が固定されている。このガイド部には、電子部品の側から順に、案内用貫通孔と矯正用貫通孔と離間部が設けられている。案内用貫通孔は、電子部品から離れるにつれて径が縮小している。矯正用貫通孔は、案内用貫通孔に連通し、電子部品側から離れるにつれて径が拡大してから縮小している。離間部は、スルーホールと矯正用貫通孔の間に間隔を置き、その間隔を基板外から観察可能とする。
【０００９】
上述した基板によれば、スルーホールに対するピンの位置ばらつきや、ピンの変形が大きい場合であっても、ピンは、電子部品から離れるにつれて径が縮小する案内用貫通孔の斜面によって矯正用貫通孔に誘い込まれる。その後、ピンの先端は、矯正用貫通孔の側面に当接する。ピンの先端が矯正用貫通孔の側面に当接した後も、ピンは矯正用貫通孔に押し込まれる。矯正用貫通孔は、電子部品側から離れるにつれて径が拡大してから縮小している。そのため、ピンが矯正用貫通孔に押し込まれると、矯正用貫通孔の径が縮小する面が、ピンの先端をスルーホールの中心軸に近づく方向に曲げる。その結果、ピンの先端はスルーホールの中心軸に近づく方向に矯正される。ピンの先端が中心軸に近づく方向に矯正されるため、スルーホールに対するピンの位置ばらつきや、ピンの変形が大きい場合であっても、ピンはスルーホールに挿入されやすくなる。このように、本明細書が開示する基板によれば、ピンの先端を、矯正用貫通孔を用いてスルーホール側に矯正することで、ピンをスルーホールにスムーズに挿入することができる。
【００１０】
なお、本明細書で「ピンの挿入時にそのピンをスルーホールに向けて案内するガイド部が固定されている基板」とは、ガイド部が基板と一体で成形されている場合も含む。さらには、ガイド部を別体で成形し、ピンの挿入時にガイド部が基板に固定されているとともにピンの挿入後も固定されている場合も含む。また、ピンの挿入時には別体のガイド部を基板に固定するが、ピンの挿入後にガイド部を基板から取り外す場合も含む。
【００１１】
また、本明細書で「電子部品側から離れるにつれて径が拡大してから縮小する」とは、電子部品側から離れるにつれて矯正用貫通孔の径が徐々に拡大して、その後電子部品側から離れるにつれて徐々に縮小する場合を含む。さらには、電子部品から一定の距離離れた位置で不連続的に矯正用貫通孔の径が拡大して、その後電子部品側から離れるにつれて徐々に縮小する場合を含む。
【００１２】
さらに、本明細書で「その間隔を基板外から観察可能とする」とは、ガイド部の一部が開放され、基板外から目視やカメラ等で間隔を観察可能な場合を含む。さらには、離間部がガイド部の壁に囲まれている場合であっても、基板に設けられた開口を介してカメラ等によって基板外から間隔を観察可能な場合も含む。
【００１３】
本明細書が開示する技術の詳細とさらなる改良は以下の「発明を実施するための形態」にて説明する。
【図面の簡単な説明】
【００１４】
【図１】実施例の基板ユニットと端子台の接続前の状態を示す斜視図である。
【図２】図１のII-IIの線における基板ユニットとピンの接続状態を示す部分断面図である。ただし、最もＸ軸正側に配置された１本のピンのみを示す。
【図３】ピンをスルーホールに挿入するときのピンの軌跡を示す部分断面図（１）である。（Ａ）は従来の技術による場合を示し、（Ｂ）は実施例による場合を示す。
【図４】ピンをスルーホールに挿入するときのピンの軌跡を示す部分断面図（２）である。
【図５】ピンをスルーホールに挿入するときのピンの軌跡を示す部分断面図（３）である。
【図６】ピンをスルーホールに挿入するときのピンの軌跡を示す部分断面図（４）である。
【図７】第１変形例を示す図４（Ｂ）と同様の部分断面図である。
【図８】第２変形例を示す図４（Ｂ）と同様の部分断面図である。
【発明を実施するための形態】
【００１５】
図面を参照して実施例の一例である基板ユニットについて説明する。図１に、基板ユニット２とその基板ユニット２に接続される端子台１２の斜視図を示す。基板ユニット２と端子台１２は、電動自動車等に搭載される電力変換装置を構成する部品である。基板ユニット２には、端子台１２の他にも様々な部品が接続されるが、本明細書では、端子台１２が備えるピンと基板ユニット２に設けられているスルーホールを接続する構造について詳しく説明するため、他の部品の図示及び説明を省略している。また、本明細書では、理解を助けるため、Ｚ軸正側を上側、Ｚ軸負側を下側と表現することがある。
【００１６】
図１に示すように、基板ユニット２は、制御基板４とガイド部１０を備えている。制御基板４の上面には、複数個の回路部品６が取り付けられている。複数個の回路部品６は制御基板４に実装される制御回路を構成する。
【００１７】
制御基板４には、Ｙ軸正側の縁の中央付近に９個のスルーホール８が設けられている。また、９個のスルーホール８群のＸ軸方向正側と負側には、後述するガイド部１０を制御基板４に位置決めするボス１０ｄ（図２参照）を差込むための開口が設けられている。スルーホール８は、制御基板４を上下方向に貫通している。スルーホール８には、不図示の回路が接続しており、この回路を介してスルーホール８と回路部品６は接続されている。
【００１８】
ガイド部１０は、９個のスルーホール８群を下側から覆うように制御基板４に固定されている。ガイド部１０は樹脂で構成されており、Ｙ軸正側の側面の上側の一部が開放されている。
【００１９】
図１の基板ユニット２の下側には、端子台１２が示されている。端子台１２は、樹脂製の本体から延びる９本のピン１６を備えている。それぞれのピン１６は平行に基板ユニット２に向かって延びており、途中までカバー１４で覆われている。端子台１２には、本体の内部に電流センサが埋設されている。電流センサは、不図示のバスバを流れる電流を計測し、端子台１２が備えるセンサ回路で処理し、ピン１６を介して制御基板４へ出力する。ピン１６は電流センサの出力を送付するのみではなく、ゲート電圧を受け取る役割等もはたす。
【００２０】
図１に示す矢印に示すように、端子台１２は、下側から基板ユニット２に組付けられる。詳細は後述するが、端子台１２が基板ユニットに組付けられるとき、９本のピン１６は、ガイド１０を介して基板ユニット２の９個のスルーホール８にそれぞれ挿入される。
【００２１】
図２を用いて、ピン１６とスルーホール８の関係について説明する。図２は、図１に示すII-IIに沿った部分断面図である。理解しやすくするため、図２では図１に示す最もＸ軸正側のピン１６のみの断面を表している。図２は、ピン１６がスルーホール８に挿入された状態を示している。
【００２２】
図２に示すように、端子台１２から延びるピン１６は、制御基板４のスルーホール８に挿入されている。ピン１６の先端１６ａは、スルーホール８を通過して制御基板４よりも上側まで挿入されており、ピン１６と制御基板４の間のスルーホール８を埋めるように、はんだ１８が付けられている。はんだ１８を介して、ピン１６がスルーホール８と電気的に接続される。先に述べたように、スルーホール８と制御基板４の制御回路を構成する回路部品６は回路を介して接続されている。このため、端子台１２（図１参照）が備える電流センサの出力は、はんだ１８とスルーホール８を介して制御基板４の制御回路に送られる。また、ピン１６はその他にも、複数個の回路部品６と外部を接続するゲート信号等も出力したり、受け取ったりする。
【００２３】
図２では図示を省略したが、端子台１２はピン１６の下側に配置されている。ピン１６は、端子台１２から上側に延びている。ピン１６は下側からスルーホール８へ挿入される。制御基板４のピン１６の挿入側の面（すなわち、下側の面）には、ガイド部１０がクッション１９を介して固定されている。ガイド部１０は、ボス１０ｄを制御基板４の孔に差込むことで案内用貫通孔１０ａの中心軸がスルーホール８の孔中心軸８ｃと同軸になるように位置決めされている。ガイド部１０には、下側から順に、案内用貫通孔１０ａと矯正用貫通孔１０ｂと離間部１０ｃが設けられている。案内用貫通孔１０ａは、上側ほど径が縮小している。すなわち、案内用貫通孔１０ａは、端子台１２（図１参照）から離れるにつれて径が縮小している。矯正用貫通孔１０ｂは、案内用貫通孔１０ａに連通している。矯正用貫通孔１０ｂは、その下側の縁の径と、上側の縁の径が同じ直径ΦＢ（図４（Ｂ）参照）である。矯正用貫通孔１０ｂは、その上下方向の中央の径が大きくなっている。矯正用貫通孔１０ｂの側面は、その中央がへこむように湾曲している。すなわち、矯正用貫通孔１０ｂは、端子台１２から離れるにつれて径が拡大してから、端子台１２から離れるにつれて径が縮小している。離間部１０ｃは、スルーホール８と矯正用貫通孔１０ｂの間に設けられた間隔である。また、離間部１０ｃは、図１に示すように、Ｙ軸方向正側に開放されている。そのため、離間部１０ｃは、制御基板４の外から観察することができる。
【００２４】
図１に示すように、スルーホール８と、スルーホール８に挿入されるピン１６は、それぞれ別の部品に設けられている。そのため、スルーホール８とピン１６の位置は、相対的にずれることがある。スルーホール８とピン１６の位置が相対的にずれると、ガイド部が固定されている場合であっても、ピン１６がスルーホール８に挿入できない場合がある。以下、図３から図６を用いて、従来のガイド部と比較しながら、実施例の基板ユニット２が備えるガイド部１０がピン１６をスルーホール８に誘い込む軌跡について説明する。
【００２５】
図３から図６は、図２同様の部分断面図であるが、図２と異なり、ピン１６がスルーホール８に挿入されるまでの軌跡を示している。図３から順にピン１６はスルーホール８に近づいている。また、図３から図６では、（Ａ）に従来のガイド部２０が固定されている基板の部分断面図を示している。図３から図６では、（Ｂ）にガイド部１０が固定されている実施例の基板ユニット２の部分断面図を示している。従来のガイド部２０と実施例のガイド部１０は、従来貫通孔２０ｂ内側の面と矯正用貫通孔１０ｂの形状は異なるが、それ以外の形状は同様である。そのため、図３から図６の（Ａ）と（Ｂ）によって、従来のガイド部２０と実施例のガイド部１０を比較しやすい。なお、図３から図６では、（Ａ）と（Ｂ）の同様の部位については、ガイド部１０を示した（Ｂ）を用いて説明し、（Ａ）の説明については省略する。
【００２６】
図３（Ｂ）は、ピン１６の先端１６ａが案内用貫通孔１０ａに挿入された状態を示す。図３（Ｂ）に示すように、ガイド部１０は、ボス１０ｄを制御基板４の開口に差込むことで案内用貫通孔１０ａの中心軸がスルーホール８の孔中心軸８ｃと同軸なるように制御基板４に固定されている。先に述べたように、スルーホール８とピン１６の位置は、相対的にずれることがある。図３（Ｂ）では、スルーホール８の孔中心軸８ｃに対してピン１６のピン中心軸１６ｃは寸法Ａずれている。ピン１６は、スルーホール８のＸ軸正側の縁よりも外側にある。すなわち、図３（Ｂ）に示す位置でそのまま上側にピン１６を移動させても、ピン１６はスルーホール８に挿入されない。
【００２７】
案内用貫通孔１０ａは、下側ほど径が大きい。案内用貫通孔１０ａの入り口の径は、スルーホール８の径よりも大きい。図３（Ｂ）に示すように、スルーホール８の孔中心軸８ｃに対して寸法Ａずれたピン１６であっても、ピン１６の先端１６ａが案内用貫通孔１０ａの斜面に当接する。また、案内用貫通孔１０ａは、上側ほど径が縮小している。そのため、ピン１６の先端１６ａは、案内用貫通孔１０ａの斜面によって矯正用貫通孔１０ｂに誘い込まれる。
【００２８】
ピン１６の先端１６ａは、案内用貫通孔１０ａの斜面に沿って矯正用貫通孔１０ｂに近づく。そのため、ピン１６は、先端１６ａが矯正用貫通孔１０ｂの方向を向くように湾曲する。図４（Ｂ）に示すように、ピン１６の先端１６ａは、湾曲した状態のまま矯正用貫通孔１０ｂに挿入される。そのため、ピン１６の先端１６ａは矯正用貫通孔１０ｂのＸ軸負側の側面に当接する。先に述べたように、矯正用貫通孔１０ｂの径は、端子台１２（図１参照）から離れるにつれて径が拡大してから、端子台１２から離れるにつれて径が縮小している。別言すれば、矯正用貫通孔１０ｂの側面の上部には、上側ほど孔中心軸８ｃに近づく斜面が設けられている。図４（Ｂ）に示すように、ピン１６の先端１６ａは、矯正用貫通孔１０ｂの上側ほど孔中心軸８ｃに近づく斜面と当接する。図４（Ｂ）では、ピン１６の先端１６ａの方向と矯正用貫通孔１０ｂの上側ほど孔中心軸８ｃに近づく斜面との角度を角度θ１としている。
【００２９】
先端１６ａが矯正用貫通孔１０ｂの斜面と当接した後も、ピン１６は上側へ挿入される。すなわち、ピン１６には下側から押し込む力が作用する。そのため、ピン１６の先端１６ａは、深く挿入されるほど孔中心軸８ｃに近づく斜面に沿って孔中心軸８ｃに近づく。そのとき、ピン１６の先端１６ａは、矯正用貫通孔１０ｂの上側ほど孔中心軸８ｃに近づく斜面によって、孔中心軸８ｃの方向へ角度θ１で曲げられる。
【００３０】
ここで、図４（Ａ）を用いて従来貫通孔２０ｂについて説明する。従来貫通孔２０ｂの径は直径ΦＢで一定であり、従来貫通孔２０ｂの内側の面は、スルーホール８の孔中心軸８ｃと平行である。また、図４（Ｂ）に示すように、矯正用貫通孔１０ｂにおける上下の縁の径も直径ΦＢである。図４（Ａ）に示すように、従来のガイド部２０に挿入されるピン２６も、ピン１６同様に、先端２６ａが従来貫通孔２０ｂの方向を向くように湾曲した状態で従来貫通孔２０ｂに挿入される。先端２６ａは、従来貫通孔２０ｂの内側の面との角度θ２で当接する。
【００３１】
先端２６ａが従来貫通孔２０ｂの斜面と当接した後も、ピン２６は上側へ挿入される。すなわち、ピン２６には下側から押し込む力が作用する。ピン２６の先端２６ａは、スルーホール８の孔中心軸８ｃと平行な従来貫通孔２０ｂの内側の面に沿って従来貫通孔２０ｂを通過する。そのとき、ピン２６の先端２６ａは、従来貫通孔２０ｂの孔中心軸８ｃと平行な斜面によって、孔中心軸８ｃの方向へ角度θ２で曲げられる。
【００３２】
矯正用貫通孔１０ｂとは異なり、従来貫通孔２０ｂの内側の面は、孔中心軸８ｃと平行である。そのため、ピン２６の先端２６ａの方向と従来貫通孔２０ｂの内側の面との角度θ２は、図４（Ｂ）の角度θ１よりも小さい。すなわち、ピンがスルーホールに対して相対的にずれた場合、矯正用貫通孔を通過するときにピンの先端を孔中心軸の方向へ曲げる角度は、従来貫通孔２０ｂに対して矯正用貫通孔１０ｂの方が大きい。ピンの先端を曲げる角度が大きければ、ピンの先端が塑性変形を起こしやすい。別言すれば、ピンの先端を曲げる角度が大きければ、ピンの先端を孔中心軸の方向へ矯正しやすい。すなわち、実施例の基板ユニット２のガイド部１０に設けられている矯正用貫通孔１０ｂは、従来貫通孔２０ｂよりも、ピン１６の先端１６ａをスルーホール８の孔中心軸８ｃの方向へ矯正しやすい。
【００３３】
図５を用いて矯正用貫通孔１０ｂを通過した後のピン１６の軌跡について説明する。図５（Ｂ）に示すように、矯正用貫通孔１０ｂのスルーホール８側の径は、スルーホール８の径よりも小さい。しかし、先に述べたように、矯正用貫通孔１０ｂとスルーホール８の間には離間部１０ｃが設けられている。図５（Ｂ）に示すように、離間部１０ｃは空間である。離間部１０ｃでは、ピン１６の先端１６ａを直接的に位置決めすることができない。また、図５（Ｂ）に示すように、ずれた位置からガイド部１０に挿入されたピン１６は、上側ほどスルーホール８の孔中心軸８ｃから離れるように傾斜している。図５（Ｂ）に示すピン１６の先端１６ａは、孔中心軸８ｃの方向に矯正されている。一方、図５（Ａ）に示すピン２６の先端２６ａは、矯正されていない。
【００３４】
さらにピン１６がスルーホール８に向かって挿入されると、図６（Ｂ）に示すように、ピン１６の先端１６ａがスルーホール８に到達する。この時、先端１６ａはスルーホール８の孔中心軸８ｃの方向へ矯正されているため、先端１６ａは、スルーホール８に挿入される。一方、図６（Ａ）に示すピン２６の先端２６ａは、矯正されていないため、スルーホール８のＸ軸負側の縁にひっかかり、その結果、ピン２６の先端２６ａは、スルーホール８に挿入されない。
【００３５】
上述したように、実施例の基板ユニット２が備えるガイド部１０は、矯正用貫通孔１０ｂを用いてピン１６の先端１６ａをスルーホール８の孔中心軸８ｃの方向へ矯正することで、ピン１６の先端１６ａがスルーホール８の縁に引っかかるのを防止する。すなわち、本明細書が開示する基板ユニット２によれば、スルーホール８に対するピン１６の位置ばらつきや、ピン１６の変形が大きい場合であっても、ピン１６をスルーホール８にスムーズに挿入することができる。
【００３６】
以下、図７、８を用いて矯正用貫通孔の形状の変形例を説明する。図７、８は、図４（Ｂ）と同程度にピン１６が矯正用貫通孔に挿入された状態を示す部分断面図である。図７、８に示すガイド部１０は、図４（Ｂ）から矯正用貫通孔の形状のみが変更されている。矯正用貫通孔の形状は、図７の矯正用貫通孔３０ｂに示すように、その径が直線で拡大し、直線で縮小する形状としてもよい。上側ほど孔中心軸８ｃに直線で近づく斜面であっても、ピン１６の先端１６ａを孔中心軸８ｃに近づく方向に曲げることができる。
【００３７】
また、図８の矯正用貫通孔４０ｂに示すように、矯正用貫通孔４０ｂの下側の一部は、一定の直径ΦＢで形成されていてもよい。その場合、矯正用貫通孔４０ｂのスルーホール８の孔中心軸８ｃに直交する方向で径を拡大し、その上部に上側ほど孔中心軸８ｃに近づく斜面を設ければよい。図４（Ｂ）で説明したように、上側ほど孔中心軸８ｃに近づく斜面が、ピン１６の先端１６ａを孔中心軸８ｃ側に矯正することで、先端１６ａをスルーホール８にスムーズに挿入することができる。
【００３８】
実施例の留意事項を以下に述べる。ガイド部１０の各孔の径や形状は、スルーホール８の径や、ピン１６の剛性、径等により異なる。また、実施例の基板ユニット２は電力変換装置の一部であるが、これに限定されず、スルーホールとピンを用いて接続する構造を備える基板であればよい。
【００３９】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００４０】
２：基板ユニット
４：制御基板
６：回路部品
８：スルーホール
８ｃ：孔中心軸
１０：ガイド
１０ａ、２０ａ：案内用貫通孔
１０ｂ、３０ｂ、４０ｂ：矯正用貫通孔
１０ｃ、２０ｃ：離間部
１０ｄ、２０ｄ：ボス
１２：端子台
１４：カバー
１６：ピン
１６ｃ：ピン中心軸
１８：はんだ
１９：クッション
２０：従来ガイド
２０ｂ：従来貫通孔
Ａ：寸法
Ｂ：直径
【図１】
2020155731.tif 000003
【図２】
2020155731.tif 000004
【図３】
2020155731.tif 000005
【図４】
2020155731.tif 000006
【図５】
2020155731.tif 000007
【図６】
2020155731.tif 000008
【図７】
2020155731.tif 000009
【図８】
2020155731.tif 000010